(57)【要約】【課題】ユーザによる時刻調整頻度を確実に低減する。【解決手段】入力手段２８〜３４の操作により、米を炊飯する炊飯制御、炊飯したご飯を保温する保温制御、および、各制御のいずれも実行しない待機制御を実行するとともに、水晶振動子（４１，４２）からの出力パルスをカウントすることにより時刻を計時し、その計時した時刻を時刻表示部２０に表示するとともに、入力手段（予約スイッチ３０）の操作により所定時刻または所定時間後に炊飯を完了または開始する予約制御を実行する炊飯器１０において、炊飯、保温、待機および予約の少なくとも１つの制御中に、水晶振動子（４１，４２）からの出力パルスに基づいて１秒をカウントするためのパルス数を、予め設定された公称周波数と異なるパルス数でカウントする補正カウント手段を設けた構成とする。【選択図】図１
2006109974.tif 000002
【特許請求の範囲】
【請求項１】
入力手段の操作により、米を炊飯する炊飯制御、炊飯したご飯を保温する保温制御、および、前記各制御のいずれも実行しない待機制御を実行するとともに、水晶振動子からの出力パルスをカウントすることにより時刻を計時し、その計時した時刻を時刻表示部に表示するとともに、入力手段の操作により所定時刻または所定時間後に炊飯を完了または開始する予約制御を実行する炊飯器において、
前記炊飯、保温、待機および予約の少なくとも１つの制御中に、前記水晶振動子からの出力パルスに基づいて１秒をカウントするためのパルス数を、予め設定された公称周波数と異なるパルス数でカウントする補正カウント手段を設けたことを特徴とする炊飯器。
【請求項２】
前記補正カウント手段は、前記水晶振動子の周囲温度が常温より高くなる制御でのみ実行されることを特徴とする請求項１に記載の炊飯器。
【請求項３】
前記炊飯制御は、予熱工程、昇温工程、沸騰維持工程、炊き上げ工程およびむらし工程を備え、前記補正カウント手段は、各工程での制御温度帯に基づいてカウントするパルス数を変更するようにしたことを特徴とする請求項１または請求項２に記載の炊飯器。
【請求項４】
前記補正カウント手段は、カウントするパルス数を６０秒単位で補正するようにしたことを特徴とする請求項１乃至請求項３のいずれか１項に記載の炊飯器。
【発明の詳細な説明】
【技術分野】
【０００１】
本発明は、時刻を表示可能とした炊飯器に関するものである。
【背景技術】
【０００２】
炊飯器は、本体内に内鍋を備え、該内鍋温度に基づいて該内鍋を予め記憶されたプログラムに従って加熱することにより、米を炊き上げるものである。また、この種の炊飯器では、ユーザが希望する時刻に炊き上げを完了（予約炊飯）することを目的として、水晶振動子を搭載し、現在時刻を計時するとともに、表示部に表示できるように構成している。
【０００３】
前記水晶振動子は、予め設定された公称周波数での発振に基づいてパルスを出力する。そして、炊飯器に実装されたマイコンは、前記出力パルス数をカウントし、所定のカウント数になると１秒が経過したと判断し、時刻に１秒を加算して計時するとともに、その計時した時刻を時刻表示部に表示する。
【０００４】
ここで、前記水晶振動子を用いた時刻の計時は、前記予約制御を実行可能とする目的として搭載したものであり、炊飯制御や保温制御などのいずれの制御も実行していない待機状態で、計時中の時刻を表示部に表示可能とする構成は付加的な機能である。即ち、予約制御の予約方法を、入力手段によって入力した時間後に、炊飯開始または炊飯終了するように構成した場合には、現在時刻の計時は必要ないものである。そのため、この時刻表示機能は、できるだけ安価に搭載できることが好ましく、前記水晶振動子としては、周波数許容偏差が大きい安価なものを使用している。
【０００５】
しかし、このような周波数許容偏差が大きい水晶振動子は、１ケ月当たり約±５０秒以上の計時誤差が発生する。そのため、ユーザが正確な時刻に炊飯を希望する場合には、頻繁に現在時刻を調整する必要があった。なお、周波数許容偏差が小さい水晶振動子を使用すれば、前記時刻の計時誤差は非常に少なくなり、精度が向上する。しかし、周波数許容偏差の大小に拘わらず、この種の水晶振動子は、周囲の温度に影響され易いため、炊飯器のような加熱機器に使用した場合には、高価な割には計時に係る誤差を無くすことはできない。言い換えれば、周波数許容偏差が大きい安価な水晶振動子を使用した場合には、本来の計時誤差に加えて、炊飯制御および保温制御に基づく温度の影響により１ケ月当たり±５０秒を遙かに上回る計時誤差が発生する。
【０００６】
具体的には、温度による水晶振動子の周波数変動（ｄＦ）は、２次温度係数（Ａ）に、水晶振動子の周囲温度（Ｔ）から変曲点温度（Ｔ０）を減算した温度を、乗算（ｄＦ＝Ａ・（Ｔ−Ｔ０））することにより算出できる。そして、２次温度係数（Ａ）を-0.036ppm/℃２、変曲点温度を２５℃とし、炊飯制御に必要な約１時間の水晶振動子の周囲平均温度を６５℃とすると、周波数変動（ｄＦ）は-57.6ppmとなる。そのため、１日１回炊飯を行うと、１ケ月当たりで約-6.2秒の計時誤差が発生する。また、保温制御での水晶振動子の周囲平均温度を５５℃とすると、周波数変動（ｄＦ）は-32.4ppmとなる。そのため、１日１２時間保温を行うと、１ケ月当たりで約-42.0秒の計時誤差が発生する。
【０００７】
このように水晶振動子が周囲温度に影響されることによる誤差を補正する先行技術文献情報としては次のものがある。
【０００８】
【特許文献１】特開２００２−３１１１７３号公報
【０００９】
この特許文献１には、一定時間（例えば２４時間）経過する毎に、温度測定部で測定された水晶振動子の周囲の温度データを取り込み、この温度データと記憶部の特性データとに基づいて、一定時間分の遅れ時間を補正データとして演算算出して遅れを補正する構成が記載されている。
【００１０】
しかしながら、この特許文献１の構成を適用する分野は、本発明の炊飯器のような加熱機器ではなく、電子時計であるため、水晶振動子に影響を与える温度は全く異なる。しかも、炊飯器は、家庭（ユーザ）毎に使用頻度は勿論、使用状況が様々に異なるため、熱による誤差発生度合いを統計し、その特性データに基づいて補正データを算出することはできない。
【発明の開示】
【発明が解決しようとする課題】
【００１１】
本発明では、ユーザによる時刻調整頻度を確実に低減できる炊飯器を提供することを課題とするものである。
【課題を解決するための手段】
【００１２】
前記課題を解決するため、本発明の炊飯器は、入力手段の操作により、米を炊飯する炊飯制御、炊飯したご飯を保温する保温制御、および、前記各制御のいずれも実行しない待機制御を実行するとともに、水晶振動子からの出力パルスをカウントすることにより時刻を計時し、その計時した時刻を時刻表示部に表示するとともに、入力手段の操作により所定時刻または所定時間後に炊飯を完了または開始する予約制御を実行する炊飯器において、前記炊飯、保温、待機および予約の少なくとも１つの制御中に、前記水晶振動子からの出力パルスに基づいて１秒をカウントするためのパルス数を、予め設定された公称周波数と異なるパルス数でカウントする補正カウント手段を設けた構成としている。
【００１３】
本発明の炊飯器では、炊飯、保温、待機および予約の少なくとも１つの制御中に、水晶振動子からの出力パルスに基づいて１秒をカウントするためのパルス数を、予め設定された公称周波数と異なるパルス数でカウントする補正カウント手段を設けているため、ユーザ毎に熱による誤差発生度合いが様々に異なっても確実に時刻の自動補正をすることができる。
【００１４】
この炊飯器では、前記補正カウント手段は、前記水晶振動子の周囲温度が常温より高くなる制御でのみ実行することが好ましい。このようにすれば、熱による誤差発生を確実に抑制できる。
【００１５】
また、前記炊飯制御は、予熱工程、昇温工程、沸騰維持工程、炊き上げ工程およびむらし工程を備え、前記補正カウント手段は、各工程での制御温度帯に基づいてカウントするパルス数を変更することが好ましい。このようにすれば、熱による誤差発生を細かく補正できる。
【００１６】
さらに、前記補正カウント手段は、カウントするパルス数を６０秒単位で補正することが好ましい。このようにすれば、誤差補正精度を向上することができる。
【発明の効果】
【００１７】
本発明の炊飯器では、所定の制御中に、水晶振動子からの出力パルスに基づいて１秒をカウントするためのパルス数を、予め設定された公称周波数と異なるパルス数でカウントする補正カウント手段を設けているため、ユーザ毎に使用状況が様々に異なっても確実に時刻の自動補正をすることができる。その結果、ユーザによる時刻調整頻度を確実に低減することができる。
【発明を実施するための最良の形態】
【００１８】
以下、本発明の実施の形態を図面に従って説明する。
【００１９】
図１は、本発明の実施形態に係る炊飯器１０を示す。この炊飯器１０は、大略、被加熱物を収容する容器である内鍋１１、該内鍋１１を収容する非導電性材料からなる保護枠１２ａを備えた炊飯器本体１２、保護枠１２ａを介して内鍋１１を誘導加熱する誘導加熱コイル１３、炊飯器本体１２の上端開口を閉塞する蓋体１４、内鍋１１の上部空間を加熱する蓋ヒータ１５、および、制御基板３５を備え、内鍋用温度センサ１６および蓋用温度センサ１７による検出値に基づいて、所定の炊飯制御および保温制御を実行する誘導加熱方式のものである。
【００２０】
前記炊飯器本体１２の正面には、図２に示す操作パネル１８が配設されている。この操作パネル１８の中央には、後述するマイコン３９が内蔵したドライバによって表示するセグメント表示方式の液晶表示パネル１９が配設されている。この液晶表示パネル１９には、その計時した時刻や時間を表示する時刻表示部２０、その時刻表示部２０の表示が現在時刻であることを示す現在表示部２１、午前表示部２２および午後表示部２３、前記時刻表示部２０の表示が残り炊飯時間であることを示す分表示部２４、前記時刻表示部２０の表示が保温時間であることを示す時間表示部２５、液晶表示パネル１９の外周縁近傍に設けた炊飯メニュー表示に対応する△印表示部２６、および、予約炊飯制御の実行中であることを示す予約表示部２７を備えている。
【００２１】
また、前記液晶表示パネル１９の周囲には、実行スイッチとして、炊飯制御を実行させる炊飯スイッチ２８、および、保温制御を実行させる保温スイッチ２９が配設されている。また、炊飯条件などの設定スイッチとして、予約制御を設定する予約スイッチ３０、実行されている制御や入力した炊飯条件をクリアして待機制御を実行するとりけしスイッチ３１、炊飯メニューを選択するメニュースイッチ３２、現在時刻や予約時刻を設定する時スイッチ３３および分スイッチ３４が配設されている。
【００２２】
前記制御基板３５は、図３に示すように、商用電源３６に接続されたＡＣ／ＤＣ電源手段３７からの電力または電池などのバックアップ電源手段３８からの電力で動作するマイコン３９を備えている。このマイコン３９には、温度検出手段である前記温度センサ１６，１７、入力手段である複数の前記スイッチ２８〜３４、表示手段である前記液晶表示パネル１９、および、加熱手段である前記誘導加熱コイル１３を動作させる駆動手段４０が接続されている。また、セラミック振動子を備え、通電中において前記セラミック振動子から出力される周波数をベースタイマとしてマイコンが高速で演算処理するために必要なメイン発振手段４１が接続されている。さらに、従来と同様の水晶振動子を備え、通電中およびバックアップ中の時計カウントを行うために、予め設定された公称周波数での発振に基づいてパルスを出力するサブ発振手段４２が接続されている。このサブ発振手段４２は、バックアップ中には前記水晶振動子の周波数をベースタイマとしてマイコンが低速で演算処理する役割もなし、従来と同様に、常温状態での周波数変動が大きく、周波数許容偏差が大きい安価な水晶振動子を搭載したものを適用している。
【００２３】
前記マイコン３９は、複数の接続ポートを備えるとともに、記憶手段であるＲＡＭを内蔵した周知のものである。前記ＲＡＭには、予め設定されたプログラム、該プログラムで使用するデータおよび補正データなどが記憶され、前記温度センサ１６，１７から入力された検出値（温度）に基づいて予約制御を含む炊飯制御および保温制御や、これらの制御を実行しない待機制御を実行するものである。
【００２４】
また、マイコン３９は、前記した炊飯を目的とする本来のメイン処理と並行し、前記サブ発振手段４２から出力されたパルス数をカウントすることにより時刻を計時する時刻計時処理を実行するとともに、待機制御中および保温制御中において保温時間が所定時間を超えると、前記時刻表示部２０に現在時刻を表示する。そして、第１実施形態では、図４に示すように、前記発振手段の周囲温度が常温状態となる予約制御を含む待機制御中、米を炊飯する炊飯制御中、および、炊飯したご飯を保温する保温制御中では、１秒をカウントするためのパルス数を、予め設定された公称周波数と異なるパルス数でカウントする補正カウント手段の役割を構成する。
【００２５】
具体的には、この補正カウント手段としてのマイコン３９は、サブ発振手段４２の周囲温度が常温近傍となり、周波数変動が殆どない待機制御中には、予め設定された公称周波数である32,768個のパルスをカウントすると１秒が経過したと判断できる。そのため、本実施形態では、待機制御中には６０秒分に相当する1,966,080個のパルスをカウントすると、１分が経過したと判断し、時刻表示部２０の分の単位を１インクリメントする。また、サブ発振手段４２の周辺温度が平均で６５℃になる炊飯制御中には、周波数変動（ｄＦ）が-57.6ppmで、１秒に相当するパルス数の差は、前記公称周波数から-1.9個である。そのため、本実施形態では、炊飯制御中には６０秒分に相当する1,965,966個のパルスをカウントすると、１分が経過したと判断し、時刻情報を更新する。さらに、サブ発振手段４２の周辺温度が平均で５５℃になる保温制御中には、周波数変動（ｄＦ）が-32.4ppmで、１秒に相当するパルス数の差は、前記公称周波数から-1.1個である。そのため、本実施形態では、保温制御中には６０秒分に相当する1,966,014個のパルスをカウントすると、１分が経過したと判断し、時刻情報を更新する。
【００２６】
次に、前記マイコン３９による制御について具体的に説明する。
【００２７】
図示しない電源コードが商用電源３６に接続されていない場合には、マイコン３９には、バックアップ電源手段３８から供給される３Ｖの直流電圧により動作する。この状態では、前記操作パネル１８の入力手段である各スイッチ２８〜３４の操作は受け付けず、炊飯器１０本来のメイン処理は実行しない。しかし、このメイン処理と並行して動作される時刻計時処理は実行され、計時した時刻を液晶表示パネル１９の時刻表示部２０に表示する。
【００２８】
また、図示しない電源コードが商用電源３６に接続されると、マイコン３９は、ＡＣ／ＤＣ電源手段３７から供給される５Ｖの直流電圧により動作する。この状態では、前記操作パネル１８の入力手段である各スイッチ２８〜３４の操作を受け付け、前記メイン処理と時刻計時処理とを並行して実行する。
【００２９】
具体的には、メイン処理では、マイコン３９は、炊飯スイッチ２８が操作されると、炊飯メニューや予約の要否などの炊飯条件に従って従来と同様の炊飯制御を実行する。また、炊飯制御を実行していない状態で保温スイッチ２９が操作されると、従来と同様の保温制御を実行する。また、予約スイッチ３０が操作されると、前回の予約条件を読み込んで液晶表示パネル１９に表示させ、炊飯条件を予約制御とする。また、とりけしスイッチ３１が操作されると、炊飯制御、保温制御および予約制御（予約設定を含む）のうち、いずれかの制御が実行中である場合には、その制御を停止させ、待機制御を実行する。また、メニュースイッチ３２が操作されると、その操作の度に炊飯条件である炊飯メニューを、「ふつう」→「やわらかめ」→「かため」→「急速炊飯」→「炊き込み」→「おこわ」→「おかゆ」→「ふつう」と順番に変更する。また、待機制御中または時刻設定中または予約時刻設定中に時スイッチ３３が操作されると、現在時刻の時間をインクリメントする。また、待機制御中または時刻設定中または予約時刻設定中に分スイッチ３４が操作されると、現在時刻の分をインクリメントする。
【００３０】
一方、マイコン３９は、前記サブ発振手段４２からパルスの出力を検出すると、割込処理として時刻計時処理を実行する。この時刻計時処理では、図５に示すように、まず、ステップＳ１で、検出パルス数Ｐｎに１を加算する。
【００３１】
ついで、ステップＳ２で、メイン処理で現在実行中の制御が炊飯であるか否かを検出する。そして、炊飯制御の実行中である場合にはステップＳ３に進み、炊飯制御の実行中でない場合にはステップＳ４に進む。
【００３２】
ステップＳ３では、検出パルス数Ｐｎが1,965,966個であるか否かを検出する。そして、検出パルス数Ｐｎが1,965,966個である場合にはステップＳ７に進み、検出パルス数Ｐｎが1,965,966個でない場合には割込処理としての時刻計時処理を終了する。
【００３３】
ステップＳ４では、メイン処理で現在実行中の制御が保温であるか否かを検出する。そして、保温制御の実行中である場合にはステップＳ５に進み、保温制御の実行中でない場合、即ち、サブ発振手段４２の周辺が常温になる待機制御および予約制御の実行中である場合にはステップＳ６に進む。
【００３４】
ステップＳ５では、検出パルス数Ｐｎが1,966,014個であるか否かを検出する。そして、検出パルス数Ｐｎが1,966,014個である場合にはステップＳ７に進み、検出パルス数Ｐｎが1,966,014個でない場合には時刻計時処理を終了する。
【００３５】
ステップＳ６では、検出パルス数Ｐｎが1,966,080個であるか否かを検出する。そして、検出パルス数Ｐｎが1,966,080個である場合にはステップＳ７に進み、検出パルス数Ｐｎが1,966,080個でない場合には時刻計時処理を終了する。
【００３６】
前記ステップＳ３，Ｓ５，Ｓ６で検出パルス数Ｐｎが所定数に至っている場合には、ステップＳ７で、検出パルス数Ｐｎをリセット（０）した後、ステップＳ８で、時刻更新処理を実行して時刻計時処理を終了する。ここで、この時刻更新処理では、メイン処理が炊飯制御中である場合、および、メイン処理が保温制御中であり所定の保温時間を超えていない場合、その時刻情報を更新記憶するのみである。また、メイン処理が保温制御中であり所定の保温時間を超えている場合、および、メイン処理が予約時間の計時状態を含む待機制御中の場合、その時刻情報を更新記憶するとともに、液晶表示パネル１９の時刻表示部２０の分の単位をインクリメントする。
【００３７】
このように、本実施形態の炊飯器１０では、サブ発振手段４２の周辺温度が常温より高くなる炊飯制御および保温制御の実行中には、水晶振動子からの出力パルスに基づいて１秒をカウントするためのパルス数を、予め設定された公称周波数と異なるパルス数でカウントするため、ユーザ毎に熱による誤差発生度合いが様々に異なっても確実に時刻の自動補正を行うことができる。しかも、この第１実施形態では、計時するためにカウントするパルス数を６０秒単位で補正するため、誤差の補正精度を向上することができる。その結果、ユーザによる時刻調整頻度を確実に低減することができる。
【００３８】
図６は第２実施形態の補正カウント手段であるマイコン３９の補正態様を示す。この第２実施形態では、第１実施形態の炊飯制御中（ステップＳ３）において、制御工程毎に補正データを変更するようにした点でのみ、第１実施形態と相違している。
【００３９】
具体的には、メイン処理の炊飯制御では、従来と同様に、米に水分を吸収させるために内鍋１１を４０℃に温調する予熱工程と、内鍋１１内を沸騰させる昇温工程と、内鍋１１内の沸騰状態を維持する沸騰維持工程と、米を炊き上げるために内鍋１１内の温度を１００℃以上に上げる炊き上げ工程と、炊き上げた米を蒸らすためのむらし工程とを備えている。
【００４０】
そして、補正カウント手段としてのマイコン３９は、サブ発振手段４２の周囲温度が約４０℃になる予熱工程（約１５分）の実行中には、周波数変動（ｄＦ）が-8.1ppmで、１秒に相当するパルス数の差は、前記公称周波数から-0.3個である。そのため、本実施形態では、予熱工程の実行中には６０秒分に相当する1,966,062個のパルスをカウントすると、１分が経過したと判断し、時刻情報を更新する。また、サブ発振手段４２の周辺温度が平均で約６０℃になる昇温工程（約１０分）の実行中には、周波数変動（ｄＦ）が-44.1ppmで、１秒に相当するパルス数の差は、前記公称周波数から-1.4個である。そのため、本実施形態では、昇温工程の実行中には６０秒分に相当する1,965,996個のパルスをカウントすると、１分が経過したと判断し、時刻情報を更新する。また、サブ発振手段４２の周囲温度が約７０℃になる沸騰維持工程（約１５分）の実行中には、周波数変動（ｄＦ）が-72.9ppmで、１秒に相当するパルス数の差は、前記公称周波数から-2.4個である。そのため、本実施形態では、沸騰維持工程の実行中には６０秒分に相当する1,965,936個のパルスをカウントすると、１分が経過したと判断し、時刻情報を更新する。また、サブ発振手段４２の周囲温度が約７５℃になる炊き上げ工程（約５分）の実行中には、周波数変動（ｄＦ）が-90.0ppmで、１秒に相当するパルス数の差は、前記公称周波数から-2.9個である。そのため、本実施形態では、炊き上げ工程の実行中には６０秒分に相当する1,965,906個のパルスをカウントすると、１分が経過したと判断し、時刻情報を更新する。また、サブ発振手段４２の周囲温度が約７０℃になるむらし工程（約１５分）の実行中には、周波数変動（ｄＦ）が-72.9ppmで、１秒に相当するパルス数の差は、前記公称周波数から-2.4個である。そのため、本実施形態では、むらし工程の実行中には６０秒分に相当する1,965,936個のパルスをカウントすると、１分が経過したと判断し、時刻情報を更新する。
【００４１】
このように、第２実施形態の炊飯器１０では、炊飯制御の各工程は制御する温度帯に基づいてサブ発振手段４２の周辺温度が相違するため、その各工程でカウントするパルス数を変更することにより、熱による誤差発生を細かく補正できる。
【００４２】
なお、本発明の炊飯器１０は、前記実施形態の構成に限定されるものではなく、種々の変更が可能である。
【００４３】
例えば、前記各実施形態では、補正カウント手段としてマイコン３９は、６０秒単位で公称周波数と異なるパルス数でカウントして補正したが、１秒単位でカウントして補正してもよく、その補正単位は希望に応じて変更が可能である。
【００４４】
また、前記実施形態では、サブ発振手段４２の周辺温度が常温より高くなる炊飯および保温制御の実行中に計時する時刻を補正するようにカウントしたが、炊飯および保温制御のいずれか一方のみ補正するようにカウントしてもよいうえ、待機制御または予約制御の実行中に補正するようにカウントしてもよい。勿論、全ての制御中に補正するようにカウントしてもよい。ここで、待機制御および予約制御の実行中にも計時する時刻を補正するようにカウントする構成とした場合には、周波数許容偏差が大きくても更に正確に時刻を計時でき、時刻の補正頻度を更に低減できる。勿論、周波数許容偏差が小さい水晶振動子を搭載した発振手段を適用しても、温度の影響による誤差の発生を同様に抑制できる。
【図面の簡単な説明】
【００４５】
【図１】本発明の炊飯器の構成を示す概略図である。
【図２】炊飯器の操作パネルを示す正面図である。
【図３】炊飯器の構成を示すブロック図である。
【図４】第１実施形態の時刻の計時方法を示す図表である。
【図５】マイコンによる時刻計時処理を示すフローチャートである。
【図６】第２実施形態の時刻の計時方法を示す図表である。
【符号の説明】
【００４６】
１０…炊飯器
１１…内鍋
１２…炊飯器本体
１３…誘導加熱コイル（加熱手段）
１４…蓋体
１５…蓋ヒータ（加熱手段）
１８…操作パネル
１９…液晶表示パネル（表示手段）
２０…時刻表示部
２８〜３４…スイッチ（入力手段）
３５…制御基板
３９…マイコン（制御手段）
４１…メイン発振手段
４２…水晶振動子を備えたサブ発振手段
【図１】
2006109974.tif 000003
【図２】
2006109974.tif 000004
【図３】
2006109974.tif 000005
【図４】
2006109974.tif 000006
【図５】
2006109974.tif 000007
【図６】
2006109974.tif 000008